(57)【特許請求の範囲】
【請求項１】
シリンジのプランジャーの端部にあるフランジと嵌合して保持するホルダーにおいて、フランジの面に接触する面の少なくとも片面に嵌合方向を長手とする凸形状のリブが設けられ、前記リブの配置が嵌合方向にフランジのほぼ中心点を通る軸にほぼ対称であり、更に少なくとも１つのリブの長さがフランジとの嵌合時にフランジの中心点が位置する高さまで達しない長さであり、少なくとも１つのリブの長さがフランジの嵌合時にフランジの中心点が位置する高さを越える長さであることを特徴とする医療用具ホルダー。
【発明の詳細な説明】
【０００１】
【発明の属する技術分野】
本発明は、主に１つまたは複数の医療用具を使用する際に用いられる医療用具の保持手段に関するものであり、特にシリンジのプランジャー端部のフランジを安定保持する医療用具ホルダーに関する。
【０００２】
【従来の技術】
一般に医療用具が使用される際に、操作性の向上を目的として１つまたは複数の医療用具の特定部位を保持する所謂ホルダーが広く利用されている。
例えば２液性の生体組織接着剤を目的部位へ塗布または噴霧し、良好な接着シール効果を得るために、一般にはシリンジに別々に収納された各製剤を同時に適用部位へ滴下、または噴霧させる方法が取られている。この際に２本のシリンジを同時に操作可能とするために、各シリンジのバレルおよびプランジャーをそれぞれあたかも一体化したように保持する手段として、目的に特化した医療用ホルダーが採用され欠くことのできない存在となっている。２液性の生体接着剤の例では、２本のシリンジのバレルを保持するバレル用ホルダーと、プランジャーの端部を保持しプランジャーの一体操作を可能とするプランジャー用ホルダーが公知の技術として利用されており、他にもシリンジを利用した用具または機器において、ホルダーの存在は欠かせない。
【０００３】
ホルダーの備えるべく性能としては、保持対象を確実に保持し、医療用具の操作中における脱落がないことが重要なのは言及するまでもないが、ホルダーを嵌合する際に要する手間や力を最小限度とし、更にホルダーを取り外す必要が生じた場合には速やかに取り外しが行える所謂簡便性も一刻を惜しむ医療現場においては必要不可欠な要素である。
一般的に、プランジャー用のホルダーはプランジャーの端部のほぼ円形のフランジ部を覆う形で保持する形態をとっている。保持する力としてはフランジの面を挟み込むようにして嵌合させ、ホルダーとの摩擦抵抗を利用したものが一般的である。理にかなった方法であり、簡便かつ有効な方法である。
【０００４】
しかしながら、一般にシリンジのプランジャーは射出成形によって成形されるものであるため、射出成形品特有の抜き勾配と呼ばれる勾配を有する面が存在する。この抜き勾配はプランジャー端部の円形のフランジ部にもメーカーを問わずほとんど存在するものであり、円の面上で円の中心を通る軸、すなわちパーティングラインを境に、円の外周方向へ向けてフランジの厚さが減少するような勾配となっている。勾配の付いている面は必ずしもフランジの両面ではなく、片面のみの場合もある。
【０００５】
この勾配が、ホルダーの保持力に影響を及ぼす場合がある。すなわち、シリンジは円筒状の形状を有し、プランジャーも円筒形となるため円筒の長手方向の軸を中心軸とする回転の自由度を持っているため、抜き勾配のあるフランジの姿勢が、ホルダーへの挿入の度にランダムに変化する。このため、ホルダーの嵌合設計の意図しない姿勢でフランジが嵌合される場合に、嵌合がきつすぎる、或いは緩過ぎるという問題が生じていた。嵌合が緩く保持力が低い場合には、医療用具の操作時にホルダーが外れる等の問題が生じる可能性があった。
この問題を解決する手段として、実開平１−８２１８５号公報のように、フランジの外周を保持するフラップを設けた案が考案され実用化されているが、保持力が弱いためホルダーが脱落しやすい欠点があった。
【０００６】
【発明が解決しようとする課題】
本発明の目的は前述の問題点即ち、円形のフランジを有する部位を簡便且つ確実に保持し得る医療用具ホルダーを提供することである。
【０００７】
【課題を解決するための手段】
本発明は即ち、シリンジのプランジャーの端部にあるフランジと嵌合して保持するホルダーにおいて、フランジの面に接触する面の少なくとも片面に嵌合方向を長手とする凸形状のリブが設けられ、前記リブの配置が嵌合方向にフランジのほぼ中心点を通る軸にほぼ対称であり、更に少なくとも１つのリブの長さがフランジとの嵌合時にフランジの中心点が位置する高さまで達しない長さであり、少なくとも１つのリブの長さがフランジの嵌合時にフランジの中心点が位置する高さを越える長さであることを特徴とする医療用具ホルダーである。
【０００８】
【発明の実施の形態】
以下、図面をもとに本発明について詳細に説明する。図１は２本のシリンジのプランジャーの末端のフランジ（３）をホルダー（１）に嵌合および嵌合する直前の状態を図示したもので、本発明の医療用具ホルダーの概要を示す図である。図２は一般的なプランジャー（２）の端部にあるフランジ（３）の形状の特徴を示した図。図３は本発明の医療用具ホルダーとフランジ（３）の嵌合の様子を示したもので、高さの異なるリブの役割を示すと共に、図３（ａ）と図３（ｂ）ではフランジ（３）の姿勢によるリブとの関係の違いを示した図である。図４は本発明の医療用具ホルダーのリブの配置のバリエーションを示した図であり、図５は従来の実施例の１つを示したものである。
【０００９】
図１に示すように本発明の医療用具ホルダーは、プランジャー（２）のフランジ（３）を厚さ方向に挟み込んで嵌合させる形態の医療用具ホルダーであり、挿入軸（４）方向にフランジ（３）を抜き差しすることにより着脱を行うものである。フランジ（３）をホルダー（１）に嵌合させた場合には、フランジ（３）の中心点がホルダー（１）の深さ中心軸（５）にほぼ一致する位置関係になる。
フランジ（３）の形状は従来の技術にて述べた通り、フランジ（３）の面に抜き勾配が付される。より詳細には図２に示すようにほぼフランジ（３）の中心点を通るパーティングラインを境界に外周方向へフランジ（３）の厚さが縮小する形状であり、図２（ａ）のようにフランジ（３）の両面に勾配面（９）が付されるものと、図２（ｂ）に示すようにフランジ（３）の片面のみに勾配面（９）が付される場合もある。このように勾配面（９）が付されているため、プランジャー（２）の長手方向軸を中心に回転可能なフランジ（３）は、その回転により厚さの薄い個所が生じ、結果的にフランジ（３）とホルダー（１）の嵌合の強さにバラツキが生じていた。
【００１０】
本発明のホルダーの構成は、図３に示すように長さのことなるリブＡ（６）とリブＢ（７）を備える。リブはホルダー（１）のフランジ（３）を挿入する位置から遠い面を起点に設けられ、更にリブＡ（６）、リブＢ（７）はリブ対称軸（８）に対称に配置され、更にリブの位置は大きく分けてリブ対称軸（８）に遠方のものと近傍のものとが必要になる。基本的にリブ対称軸（８）より遠方のリブが長さの長いリブＡ（６）であり、軸近くのものはフランジ（３）の中心点に達しない長さのリブＢ（７）である。リブＡ（６）とリブＢ（７）はホルダー（１）内面のどちらの面にあっても構わないが、リブＡ（６）同士、リブＢ（７）同士はそれぞれ同一面にあるほうがバランス的に見て望ましい。リブの配置は図４（ａ）〜（ｅ）に示すようなものが考えられるが、フランジ（３）の大きさにより適切な摩擦抵抗を得るために、リブの数が増えてもなんら問題はなく、適切にフランジ（３）の面に接する位置に整然と配置することが望ましい。
【００１１】
本発明のホルダーを使用した場合、図３に示すように勾配面（９）の付されたフランジ（３）は、図３（ａ），図３（ｂ）のほぼ２つの姿勢をとることになる。これは長さ違いのリブにより、フランジ（３）が図３（ａ）と図３（ｂ）の中間の姿勢でホルダー（１）に挿入された場合であっても、回転可能なフランジ（３）は挿入されるに従い徐々にその姿勢を矯正するものである。
【００１２】
図３（ａ）の場合、嵌合による摩擦力は主にリブＡ（６）とフランジ（３）の最も厚さのある部位によって得られ、リブＢ（７）は勾配面（９）を押し付ける役割をなす。フランジ（３）の最も厚い部位はパーティングラインのある線上となり、リブＡ（６）とはほぼ点接触になるため比較的大きな摩擦力が得られるものである。ホルダー（１）の寸法は、先ずこの図３（ａ）のフランジ（３）の姿勢にてフランジ（３）の寸法を基準として、ホルダー（１）の剛性を考慮して材質や厚さなどの寸法を決定し、更には嵌合時にフランジ（３）を挟み込む強さを図３（ａ）に示す断面図を参考にしながらリブの凸高さを検討して決定することになる。凸高さが高くなれば保持力は大きくなる。挿入時の抵抗及び保持力、またホルダー（１）を取外す際の操作性などを考慮して寸法と形状および材料を決定することが重要である。なお、各リブの上面図からみた配置は図３（ｂ）のフランジ（３）の姿勢にて決定するものである。
【００１３】
図３（ｂ）の場合には、嵌合による摩擦力は主に全てのリブＡ（６）、リブＢ（７）により得られ、各リブとフランジ（３）は基本的に線接触にて嵌合する。図３（ｂ）の上面図を参考に、先に決定した凸高さを持つ各リブの配置を決定する。保持力を強くしたい場合にはよりリブ対称軸（８）に近く配置し、フランジ（３）の嵌合をきつくする。保持力を低くしたい場合にはリブ対称軸（８）から離れる位置に配置すればよい。ここで考慮すべき点は、フランジ（３）の姿勢によって保持力が異なる不具合を生じさせないため、図３（ａ）で設計した保持力と同等の保持力となるよう各リブの配置を決定することである。これにより予期せぬホルダー（１）の脱落を防ぐことが出来るものである。
【００１４】
【発明の効果】
以上に述べた如く、本発明による医療用具ホルダーを用いると、特別な機構を組み込まずとも抜き勾配のあるフランジの保持において、フランジの姿勢による保持力の差がなく脱落の可能性がなくなり有用である。
【図面の簡単な説明】
【図１】  本発明の医療用具ホルダーの一例を示す。
【図２】  フランジの形状の例を３面図を用いて示す。
【図３】  本発明の医療用具ホルダーの嵌合の具体例を上面図と縦断面図を用いて示す。
【図４】  本発明の医療用具ホルダーのリブ配置の例を上面図にて示す。
【図５】  従来のホルダーの例を示す。
【符号の説明】
１    ホルダー
２    プランジャー
３    フランジ
４    挿入軸
５    深さ中心軸
６    リブＡ
７    リブＢ
８    リブ対称軸
９    勾配面
１０  フラップ
【図１】
0003877284.tif 000002
【図２】
0003877284.tif 000003
【図３】
0003877284.tif 000004
【図４】
0003877284.tif 000005
【図５】
0003877284.tif 000006